(57)【要約】【課題】  平板体を切り抜いて折り曲げ線に沿って曲折するだけで充分な荷重に耐えることのできる箱体の提供。【解決手段】  平板体を切り抜き折り曲げて底板と複数の側壁とで多角形に形成する箱体において、底板（１５）に接続する４つ側壁（１０ａ、２０、１０ｂ、４０）の端部が隣り合って形成する４つのコーナー部（Ｃａ、Ｃｂ、Ｃｃ、Ｃｄ）を斜めに折り曲げるための斜めの線（Ａａ〜Ａｄ）が底板（１５）に設けられ、その各斜めの線（Ａａ〜Ａｄ）を一辺とする３角形のコーナー部材（１３ａ〜１３ｄ）を形成しており、そのコーナー部材（１３ａ〜１３ｄ）を斜めの線（Ａａ〜Ａｄ）に沿って底板（１５）の上に折り曲げて重ね、コーナー部（Ｃａ、Ｃｂ、Ｃｃ、Ｃｄ）の底板（１５）を２重にして座屈強度の向上を図っている。【選択図】図５
2006335364.tif 000002
【特許請求の範囲】
【請求項１】
切り抜いた平板体を折り曲げて底板と複数の側壁とで多角形に形成する箱体において、その底板（１５）に接続する第１〜第４の４つの側壁（１０ａ、２０、１０ｂ、４０）の端部が隣り合って形成する４つのコーナー部（Ｃａ、Ｃｂ、Ｃｃ、Ｃｄ）を斜めに折り曲げるための斜めの線（Ａａ〜Ａｄ）が底板（１５）に設けられ、その各斜めの線（Ａａ〜Ａｄ）とその斜めの線（Ａａ〜Ａｄ）の一方の第１の端部（８ａ〜８ｄ）に連結して延びる第１の内向き折り曲げ線（Ｆａ〜Ｆｄ）とその第１の内向き折り曲げ線（Ｆａ〜Ｆｄ）の第２の端部（１５ａ〜１５ｄ）とその第２の端部（１５ａ〜１５ｄ）と前記斜めの線（Ａａ〜Ａｄ）の他方の第３の端部（２０ａ〜２０ｄ）を連結する第２の内向き折り曲げ線（Ｂａ〜Ｂｄ）とで３角形のコーナー部材（１３ａ〜１３ｄ）を形成しており、そのコーナー部材（１３ａ〜１３ｄ）は折り曲げられて底板（１５）の上に重ねられるように形成されており、そのコーナー部材（１３ａ〜１３ｄ）の第１の内向き折り曲げ線（Ｆａ〜Ｆｄ）で連続する４つの内向き側板（１２ａ〜１２ｄ）は底板（１５）に対し直角に折り曲げられており、前記第１の端部（８ａ〜８ｄ）のうち第１のコーナー部（Ｃａ）の端部（８ａ）と第２のコーナー部（Ｃｂ）の端部（８ｂ）を連結する第２の折り曲げ線（Ｅ２）を介して第２の側壁（２０）が連続しており、前記第１の端部（８ａ〜８ｄ）のうち第３のコーナー部（Ｃｃ）の端部（８ｃ）と第４のコーナー部（Ｃｄ）の端部（８ｄ）を連結する第４の折り曲げ線（Ｅ４）を介して第４の側壁（４０）が連続しており、また前記第１の端部（８ａ〜８ｄ）に連結して底板（１５）から直角に立ち上がる折り曲げ線（Ｄａ〜Ｄｄ）のうち第１のコーナー部（Ｃａ）の折り曲げ線（Ｄａ）と第２のコーナー部（Ｃｂ）の折り曲げ線（Ｄｂ）とを介して第１及び第２の内向き側板（１２ａ、１２ｂ）がそれぞれ第２の側壁（２０）に連続しており、前記折り曲げ線（Ｄａ〜Ｄｄ）のうち第３のコーナー部（Ｃｃ）の折り曲げ線（Ｄｃ）と第４のコーナー部（Ｃｄ）の折り曲げ線（Ｄｄ）とを介して第３及び第４の内向き側板（１２ｃ、１２ｄ）がそれぞれ第４の側壁（４０）に連続しており、底板（１５）のコーナー部材（１３ａ〜１３ｄ）の第３の端部（２０ａ〜２０ｄ）のうち第１のコーナー部材（１３ａ）の第３の端部（２０ａ）と第４のコーナー部材（１３ｄ）の第３の端部（２０ｄ）とを連結する第１の折り曲げ線（Ｅ１）には第１の側壁（１０ａ）が接続され、第２のコーナー部材（１３ｂ）と第３のコーナー部材（１３ｃ）の第３の端部（２０ｂ、２０ｃ）とを連結する第３の折り曲げ線（Ｅ３）には第３の側壁（１０ｂ）が接続され、前記第１の側壁（１０ａ）に設けられた第３の端部（２０ａ、２０ｄ）から延びる折り曲げ線（１７ａ、１７ｄ）を介して第１の側壁（１０ａ）の両側に内向き側板（１４ａ、１４ｄ）が接続され、前記第３の側壁（１０ｂ）に設けられた第３の端部（２０ｂ、２０ｃ）から延びる折り曲げ線（１７ｂ、１７ｃ）を介して第３の側壁（１０ｂ）の両側に内向き側板（１４ｂ、１４ｃ）が接続され、それらの各内向き側板（１４ａ〜１４ｄ）はそれぞれコーナー部材（１３ａ〜１３ｄ）の内向き折り曲げ線Ｂａ〜Ｂｄと接続されていることを特徴とする箱体。
【請求項２】
前記箱体に天井部（３５）を設け、第４の側壁（４０）の反対側のその天井部（３５）の端部に折り曲げ線（Ｅ７）で連続する差込板（６０）を設け、底板（１５）に接続する側壁（２０）の上部にその差込板（６０）が差込まれるスリット（２１ｓ）が形成されている請求項１の箱体。
【請求項３】
前記箱体に天井部（３５）を設け、その天井部（３５）に接続する側壁（２０）の端部がコーナー部に屏風状に折れ重なった重複壁面（４３、４４、４６、４７）を形成している請求項１あるいは請求項２の箱体。
【発明の詳細な説明】
【技術分野】
【０００１】
自立性のある材料例えば段ボール、厚紙、プラスチック板の平板体を切り抜き折り曲げて被収納物を収納するための箱体に関し、特に例えば自動車のディスクブレーキのホイールやエアクリーナのような円形の被収容体を収容するための箱体に関する。
【背景技術】
【０００２】
物品を収容するために折りたたんで形成する箱体は種々知られ、開示されている（例えば特許文献１及び２参照）。
一般的に、箱体は中空角柱状をしており、被収容体を収容して積上げる場合に箱体の側壁を形成する側板が座屈しない荷重以上の積み重ねは出来ない。また、積上げた状態でホークや車両で運搬する場合には単なる静荷重以上の上下荷重に耐える必要もあって積み重ね段数の制限を配慮する必要がある。
【０００３】
箱体の積上げ荷重を向上させるために公知技術では側壁、特に側壁のコーナー部に格別の手段を設けて座屈荷重に耐えるようにしている。
したがって、公知技術では平板体を切り抜いて折り曲げ線に沿って曲折して形成する箱体には適用できない欠点がある。
【特許文献１】特開２００２−２６５７号公報
【特許文献２】特開２００３−１０４３６７号公報
【発明の開示】
【発明が解決しようとする課題】
【０００４】
本発明は上述した従来技術の問題点に鑑みて提案されたものであり、従って本発明の目的は、平板体を切り抜いて折り曲げ線に沿って曲折するだけで充分な荷重に耐えることのできる箱体を提供するにある。
【課題を解決するための手段】
【０００５】
本発明によれば、切り抜いた平板体を折り曲げて底板と複数の側壁とで多角形に形成する箱体において、その底板１５に接続する第１〜第４の４つの側壁１０ａ、２０、１０ｂ、４０の端部が隣り合って形成する４つのコーナー部Ｃａ、Ｃｂ、Ｃｃ、Ｃｄを斜めに折り曲げるための斜めの線Ａａ〜Ａｄが底板１５に設けられ、その各斜めの線Ａａ〜Ａｄとその斜めの線Ａａ〜Ａｄの一方の第１の端部８ａ〜８ｄに連結して延びる第１の内向き折り曲げ線Ｆａ〜Ｆｄとその第１の内向き折り曲げ線Ｆａ〜Ｆｄの第２の端部１５ａ〜１５ｄとその第２の端部１５ａ〜１５ｄと前記斜めの線Ａａ〜Ａｄの他方の第３の端部２０ａ〜２０ｄを連結する第２の内向き折り曲げ線Ｂａ〜Ｂｄとで３角形のコーナー部材１３ａ〜１３ｄを形成しており、そのコーナー部材１３ａ〜１３ｄは折り曲げられて底板１５の上に重ねられるように形成されており、そのコーナー部材１３ａ〜１３ｄの第１の内向き折り曲げ線Ｆａ〜Ｆｄで連続する４つの内向き側板１２ａ〜１２ｄは底板１５に対し直角に折り曲げられており、前記第１の端部８ａ〜８ｄのうち第１のコーナー部Ｃａの端部８ａと第２のコーナー部Ｃｂの端部８ｂを連結する第２の折り曲げ線Ｅ２を介して第２の側壁２０が連続しており、前記第１の端部８ａ〜８ｄのうち第３のコーナー部Ｃｃの端部８ｃと第４のコーナー部Ｃｄの端部８ｄを連結する第４の折り曲げ線Ｅ４を介して第４の側壁４０が連続しており、また前記第１の端部８ａ〜８ｄに連結して底板１５から直角に立ち上がる折り曲げ線Ｄａ〜Ｄｄのうち第１のコーナー部Ｃａの折り曲げ線Ｄａと第２のコーナー部Ｃｂの折り曲げ線Ｄｂとを介して第１及び第２の内向き側板１２ａ、１２ｂがそれぞれ第２の側壁２０に連続しており、前記折り曲げ線Ｄａ〜Ｄｄのうち第３のコーナー部Ｃｃの折り曲げ線Ｄｃと第４のコーナー部Ｃｄの折り曲げ線Ｄｄとを介して第３及び第４の内向き側板１２ｃ、１２ｄがそれぞれ第４の側壁４０に連続しており、底板１５のコーナー部材１３ａ〜１３ｄの第３の端部２０ａ〜２０ｄのうち第１のコーナー部材１３ａの第３の端部２０ａと第４のコーナー部材１３ｄの第３の端部２０ｄとを連結する第１の折り曲げ線Ｅ１には第１の側壁１０ａが接続され、第２のコーナー部材１３ｂと第３のコーナー部材１３ｃの第３の端部２０ｂ、２０ｃとを連結する第３の折り曲げ線Ｅ３には第３の側壁１０ｂが接続され、前記第１の側壁１０ａに設けられた第３の端部２０ａ、２０ｄから延びる折り曲げ線１７ａ、１７ｄを介して第１の側壁１０ａの両側に内向き側板１４ａ、１４ｄが接続され、前記第３の側壁１０ｂに設けられた第３の端部２０ｂ、２０ｃから延びる折り曲げ線１７ｂ、１７ｃを介して第３の側壁１０ｂの両側に内向き側板１４ｂ、１４ｃが接続され、それらの各内向き側板１４ａ〜１４ｄはそれぞれコーナー部材１３ａ〜１３ｄの内向き折り曲げ線Ｂａ〜Ｂｄと接続されている。
上記のコーナー部の斜めの線によって４つのコーナー部が箱体の内側に折り曲げられ、斜めの線を一辺とする３角形のコーナー部材が箱体内部に２重底を形成してコーナー部の強度を向上させて、箱体としての座屈強度の向上を図っている。
【０００６】
前記箱体に天井部３５を設け、第４の側壁４０の反対側のその天井部３５の端部に折り曲げ線Ｅ７で連続する差込板６０を設け、底板１５に接続する側壁２０の上部にその差込板６０が差込まれるスリット２１ｓが形成されていることが好ましい。
天井部の端部を側壁の天部へ差込むことによって、無接着でも天井板、側壁、床板の位置きめと組立がなされる。
【０００７】
前記箱体に天井部３５を設け、その天井部３５に接続する側壁２０の端部がコーナー部に屏風状に折れ重なった重複壁面４３、４４、４６、４７を形成していることが好ましい。
重複壁面は天井部に連続する側壁に限らず底板に連続する側壁に形成してもよい。
【発明の効果】
【０００８】
以上の構成による本発明によれば、
（ａ）  コーナー部を斜めの線で折り曲げて、その斜めの線を一辺とする３角形のコーナー部材でコーナー部の底板に２重底を形成しているのでコーナー部の強度が向上し箱体としての座屈強度が向上して積み重ね段数が増加する利点がある。
（ｂ）  コーナー部が斜めの線で折り曲げているので箱体としての容量が減少し、箱体収容容積が減少する利点がある。
（ｃ）  天井部の端部を折り曲げて側壁の天部に差込むようにすれば、無接着で天井部、側壁、床板のきっちりした位置きめと組立がなされ、一体形状の箱体となって強度が確保され、積み重ね段数が増加できる利点がある。
（ｄ）側壁のコーナーは側壁が屏風状に折れ重なった重複壁面にすれば、コーナーでの耐座屈断面積をさらに増加させて積み重ね強度がさらに増加して一層の積み重ね段数が増加できる利点がある。
（ｅ）  平板体を切り抜き折り曲げてかつ無接着で箱体を作成するので、再使用可能な利点がある。
【発明を実施するための最良の形態】
【０００９】
本発明をディスクブレーキのホイールやエアクリーナーを収容する場合についての箱体の一実施形態を示す図であり、図を参照して説明する。
６面体の箱体１を構成するために切り抜いた平板体を折り曲げる態様は後述するが、図１において折り曲げ前の展開図について説明する。
平板体１Ｚの材質は本例では公知市販の３ｍｍ厚さの段ボール（例えば商品名称Ｋ１８０Ｂ）で形成している。
【００１０】
図１において、平板体１Ｚは箱体１の底部を構成する底板１５と、天井部を構成する天井板３５と、側壁部を構成する後記で詳細説明をする底板に接続する第１〜第４の側板１０ａ、２０、１０ｂ、４０と天井板に接続する第５、第６の側板５０ａ、５０ｂとで形成され、図１内に記載の縦の中央軸Ｙ−Ｙに対して対称に形成されている。
【００１１】
箱体１の底部を構成する底板１５と図１における左部の第１の側板１０ａとは第１の側板１０ａを折り曲げるための第１の折り曲げ線Ｅ１によって接続され、底板１５と図１における下部の第２の側板２０とは第２の側板２０を折り曲げるための第２の折り曲げ線Ｅ２によって接続されている。
底板１５と図１における右部の第３の側板１０ｂとは第３の側板１０ｂを折り曲げるための第３の折り曲げ線Ｅ３によって接続され、底板１５と図１における中上部の第４の側板４０とは第４の側板４０を折り曲げるための第４の折り曲げ線Ｅ４によって接続されている。以降、図１における上、下、左、右は単に上、下、左、右と略記する。
【００１２】
これから説明する各コーナー部において、同形状の説明の繰り返しを簡素化するために、第１、第２、第３、第４の各コーナー部で使用する各符合に添字をａ、ｂ、ｃ、ｄを付けて表すことにする。
第１のコーナー部Ｃａにおいて、底板１５の第１の折り曲げ線Ｅ１と第２の折り曲げ線Ｅ２とは第１の折り曲げ線Ｅ１の下端部の交点２０ａと第２の折り曲げ線Ｅ２の左端部の交点８ａを接続する斜めの線の第１の折り曲げ線Ａａによって接続している。
【００１３】
第２、第３、第４のコーナー部Ｃｂ、Ｃｃ、Ｃｄについては第１の折り曲げ線Ｅ１と第２の折り曲げ線Ｅ２を、第２の折り曲げ線Ｅ２と第３の折り曲げ線Ｅ３、第３の折り曲げ線Ｅ３と第４の折り曲げ線Ｅ４、第４の折り曲げ線Ｅ４と第１の折り曲げ線Ｅ１に読み替えれば、第２、第３、第４の折り曲げ線Ａｂ、Ａｃ、Ａｄは、上記第１の第１の折り曲げ線Ａａの添字をａに読み替えるだけで実質的に同じである。
【００１４】
第１の側板１０ａは、右端を第１の折り曲げ線Ｅ１と、左端を第１の折り曲げ線Ｅ１に平行な縁線３５ａと、上端を第１の側板１０ａの第２の内側板１４ｄを折り曲げるための折り曲げ線１７ｄと、下端を第１の側板１０ａの第１の内側板１４ａを折り曲げるための折り曲げ線１７ａと、に囲まれた４角形に形成されている。
【００１５】
そして、折り曲げ線１７ａで第１の内側板１４ａに接続され、折り曲げ線１７ｄで第２の内側板１４ｄに接続されている。
第３の側板１０ｂは、第１の側板１０ａの右端を縁線３５ａに、左端を第３の折り曲げ線Ｅ３に読み替え、他の符合の添字ａをｃに読み替えるだけで実質的に同じである。
【００１６】
第１の側板１０ａに接続する第１の内側板１４ａは、上端を折り曲げ線１７ａと、下端を第２の折り曲げ線Ｅ２に平行で板厚に相当するδだけ僅か下方にある縁線５ａと、左端を縁線３５ａと、右端を第１の折り曲げ線Ｅ１の延長線上にあって第１のコーナー部Ｃａの第１のコーナー部材１３ａを折り曲げるための折り曲げ線Ｂａと、に囲まれた４角形に形成されている。
第３の側板１０ｂに接続する第１の内側板１４ｂも、右端を縁線３５ｂに左端を第３の折り曲げ線Ｅ３に読み替え、他の符合の添字ａをｂに読み替えるれば第１の内側板１４ａと実質的に同じである。
【００１７】
第１のコーナー部Ｃａの第１のコーナー部材１３ａは、斜めの線の第１の折り曲げ線Ａａと、第１の折り曲げ線Ｅ１の延長線上にあって第１の斜め折り曲げ線Ａａを長辺とする直角３角形の一辺をなす折り曲げ線Ｂａと、第２の折り曲げ線Ｅ２の延長線上にある折り曲げ線Ｆａと、に囲まれた３角形に形成され、第１の斜め折り曲げ線Ａａで折り曲げられて第１のコーナー部Ｃａにおける底板１５の上に２重になって底部の強度を向上させる機能を有して形成されている。
【００１８】
第２、第３、第４のコーナー部Ｃｂ、Ｃｃ、Ｃｄの第２、第３、第４のコーナー部材１３ｂ、１３ｃ、１３ｄもそれぞれの添字がかわるのみで実質的に第１のコーナー部材１３ａと同じである。
第１の側板１０ａに接続する第２の内側板１４ｄも上下を替え、第１の内側板１４ａの各符号の添字ａをｄに替えれば第１の側板１０ａとに実質的に同じである。
【００１９】
第２の側板２０とフランジ２１とはフランジ２１を折り曲げるための折り曲げ線１６によって接続し、第２の側板２０と、第２の側板２０の第１の内向き側板１２ａとは、第１の内向き側板１２ａを折り曲げるための折り曲げ線Ｄａによって接続している。
第２の側板２０と第２の側板２０の第２の内向き側板１２ｂとは第２の内向き側板１２ｂを折り曲げるための折り曲げ線Ｄｂによって接続している。
【００２０】
第２の側板２０の第１の内向き側板１２ａは、上端を第２の折れ曲げ線Ｅ２の延長線上にあって第１のコーナー部１３ａを折り曲げるための第１のコーナーの折り曲げ線Ｆａと、左端を第１の折れ曲げ線Ｅ１の延長線上にある縁線６ａと、下端を折り曲げ線１６の延長線上にある縁線７ａと、右端を折り曲げ線Ｄａと、に囲まれた４角形に形成されている。
【００２１】
上記の第１のコーナー部材１３ａと、第１の内向き側板１２ａと、第１の内側板１４ａと、で第１のコーナー部Ｃａが形成されている。
同様に、第２、第３、第４のコーナー部Ｃｂ、Ｃｃ、Ｃｄは上記の符号の添字をかえたものと実質的に同じである。
【００２２】
フランジ２１は、折り曲げ線１６の左端部７ａと、右端部１５ｂと、折り曲げ線１６に平行な縁線２２とで囲まれて台形に形成されている。
第２の側板２０の折り曲げ線１６に沿ってスリット２１ｓが穿孔され、後記する差込板６０が差込まれるように穿孔されている。
【００２３】
第４の側板４０は、第４の側板４０の第１の内向き側板１２ｄを折り曲げるための第３３の折り曲げ線Ｄｄで第１の内向き側板１２ｄに接続し、第４の側板４０の第２の内向き側板１２ｃを折り曲げるための折り曲げ線Ｄｃで第２の内向き側板１２ｃに接続し、箱体１の天井部を構成する天井板３５を折り曲げるための第４の折り曲げ線Ｅ４に平行な折り曲げ線Ｅ０で天井板３５に接続している。
【００２４】
第４の側板４０の第１の内向き側板１２ｄは、上下端を入れ替え、符合の添字ａをｄに読み替えれば、第２の側板２０に連続する第１の内向き側板１２ａと実質的に同じである。
また、第４の側板４０の第２の内向き側板１２ｃはＹ−Ｙ軸に対して対称で符合の添字ｄをｃに読み替えたものと同じである。
【００２５】
折り曲げ線Ｅ０によって第４の側板４０に接続された天井板３５と左部の第５の側板５０ａとは、第５の側板５０ａを折り曲げるための第５の折り曲げ線Ｅ５によって接続され、天井板３５と右部の第６の側板５０ｂとは、第６の側板５０ｂを折り曲げるための第６の折り曲げ線Ｅ６によって接続され、天井板３５と上部の差込板６０とは差込板６０を折り曲げるための第７の折り曲げ線Ｅ７によって接続されている。
【００２６】
天井板３５の折り曲げ線Ｅ０と第５の折り曲げ線Ｅ５とは、コーナー部において折り曲げ線Ｅ０の左端部の交点１５ｄと、第５の折り曲げ線Ｅ５の下端部の交点２８ｄとを接続する斜めの縁線ｉ１によって接続している。
ここで、第５の折り曲げ線Ｅ５は、底板１５の左端部の第１の折り曲げ線Ｅ１に平行で、第１の折り曲げ線Ｅ１に対して板厚より僅かに大きな隙間δ１を設けた外方に位置している。
【００２７】
また、第５の折り曲げ線Ｅ５と第７の折り曲げ線Ｅ７とはコーナー部において、第７の折り曲げ線Ｅ７の板厚δに相当する僅か上部に並行する縁線３０ｂの交点２９ｂと、第５の折り曲げ線Ｅ５の上端の交点２８ｃとを連結する傾斜部分の縁線ｉ４によって接続している。
【００２８】
また、第７の折り曲げ線Ｅ７と第６の折り曲げ線Ｅ６とは第５の折り曲げ線Ｅ５を第６の折り曲げ線Ｅ６に読み替えれば、傾斜部分の縁線ｉ３は傾斜部分の縁線ｉ４と同じである。
【００２９】
また、折り曲げ線Ｅ０と第６の折り曲げ線Ｅ６とは、第５の折り曲げ線Ｅ５を第６の折り曲げ線Ｅ６に読み替え、符合の添字ｄをｃに替えれば傾斜部分の縁線ｉ２は傾斜部分の縁線ｉ１と同じである。
【００３０】
第５の側板５０ａは、左端を縁線３５ａの延長線上にある縁線３６ａと、右端を第５の折り曲げ線Ｅ５と、上端を重複壁面を構成する第１の重複側板４４を折り曲げるための折り曲げ線Ｌ１ｃと、下端を第２の重複側板４７を折り曲げるための折り曲げ線Ｌ１ｄとに囲まれた４角形に形成されている。
そして、折り曲げ線Ｌ１ｃの右端部は交点２８ｃに合致し、折り曲げ線Ｌ１ｄの右端部は交点２８ｄに合致している。
【００３１】
第５の側板５０ａの第１の重複側板４４は左端の縁線３６ａと、第５の折り曲げ線Ｅ５の延長線上にある縁線２６ｃと、上端は縁線２５ｃと、下端は前記折り曲げ線Ｌ１ｃと、で囲まれて４角形の形成されている。
【００３２】
第５の側板５０ａの第１の重複側板４４は第１の重複側板４４の第１、第２、第３のコーナー側板４６ｃ、４７ｃ、４８ｃの３つの４角形からなり、第１、第２のコーナー側板４６ｃ、４７ｃは折り曲げ線Ｌ２ｃで接続し、第２、第３のコーナー側板４７ｃ、４８ｃは折り曲げ線Ｌ３ｃで接続している。
【００３３】
第５の側板５０ａの第２の重複側板４７は第１の重複側板４４に対向した対称形状であって、各符号の添字ｃをｄに替えたものと同じである。
【００３４】
第６の側板５０ｂの第３の重複側板４３は、第５の側板５０ａの第１の重複側板４４とＹ−Ｙ軸に対向した対称形状であって、各符号の添字ｃをｂに替えたものと同じである。
【００３５】
第６の側板５０ｂ及びその第１、第２の重複側板４３、４６は第５の側板５０ａ及び第１、第２の重複側板４４、４７とＹ−Ｙ軸に対して対称に形成され、斜め線ｉ３、ｉ２と、折り曲げ線Ｅ６が、ｉ４、ｉ１、Ｅ５に対称であり、其の他は符合の添字を省いたものと同様で、それぞれが同じ形状である。
【００３６】
差込板８は、第４の側壁４０の反対側の上端を縁線３１で、下端を第７の折り曲げ線Ｅ７とで、左右が平行な４角形の形成されていて、前記フランジ２１に穿孔されたスリット２１ｓに差込まれるように形成されている。
【００３７】
上記の各折り曲げ線は、押圧して段ボールの板厚を減少させてもよいし、板厚の適宜の深さへの切り込みでも、あるいは切断の断絶でもいずれでもよい。
【００３８】
上記の展開図で示された平板体１Ｚを箱体１に組み立てる手順の１例を展開図の図１を参照して以下に説明する。
上記の展開図１で示された平板体１Ｚを箱体１に組み立てた場合の上面図が図２であり、その図２のＡ矢視正面図が図３であり、Ｂ矢視側面図が図４である。また、図３のＸ−Ｘ断面上面図が図５である。
【００３９】
また、底板１５と第２及び第３の側板２０、１０ｂで構成する第２のコーナー部Ｃｂの斜視図が図６であり、図６のＹ３−Ｙ３断面図が図７であり、天井板３５と第６の側板５０ｂ及び複数の側板からなる第６の側板５０ｂの第１の重複側板４３で構成する同じ第２のコーナー部Ｃｂの斜視図が図８である。
【００４０】
図２〜図４において、箱体１は円柱形の収容物を収容するために適する底板１５をコーナーで折り曲げて第１の〜第４のコーナー部Ｃａ〜Ｃｄを設けた中空４角柱状の６面体に構成されている。
図２において、天井板３５で箱体１の上部を覆い、図における上部を第４の側板４０で構成し、下部を第２の側板２０で構成し、左右部を第５、第６の側板５０ａ、５０ｂで構成している。そして天井部３５に接続するための差込板６０が第１の側板２０に紙面に直角下方に差込まれている
【００４１】
図２のＡ矢視正面図を示す図３において、天井板３５と底板１５との間に第２の側板２０が位置し、点線で示す差込板６０が第２の側板２０の天部２０ａから下方に差込まれている。
底板１５の図３における右端部の第２のコーナー部Ｃｂの底部に第２のコーナー部材１３ｂが設けられ、この第２のコーナー部材１３ｂと天井板３５との間に詳細を後記する第６の側板５０ｂの第１の重複側板４３の第１、第２のコーナー側板４６ｂ、４７ｂと図に表れない第３のコーナー側板４８ｂが設けられている。
【００４２】
図２のＢ矢視側面図を示す図４において、天井板３５と底板１５との間に第６の側板５０ｂが位置し、第２のコーナー部Ｃｂにおいては第６の側板５０ｂに接続する第６の側板５０ｂの第１の重複側板４３の第１、第２のコーナー側板４６ｂ、４７ｂと後記する図５で示す第３のコーナー側板４８ｂが設けられている。
【００４３】
第６の側板５０ｂと、第６の側板５０ｂに接続する第６の側板５０ｂの第１の重複側板４３の第１のコーナー側板４６ｂとは折り曲げ線Ｌ１ｂで接続し、第１のコーナー側板４６ｂと第２のコーナー側板４７ｂとは折り曲げ線Ｌ２ｂで接続し、第２のコーナー側板４７ｂと第３の側板４８ｂとは折り曲げ線Ｌ３ｂで接続している。
【００４４】
また、第２の側板２０の折り曲げた端部に第２の側板２０の第１の内向き側板１２ｂが設けられていて、第２の側板２０と第２の側板２０の第２の内向き側板１２ｂとは折り曲げ線Ｄｂで接続している。
【００４５】
第３のコーナー部Ｃｃは第２のコーナー部Ｃｂとは図２において横軸Ｘ１―Ｘ１を挟んで対称に構成されていて、第６の側板５０ｂに接続する第６の側板５０ｂの第２の重複側板４６の第１のコーナー側板４６ａと第２のコーナー側板４７ａと後記する図５で示す第３のコーナー側板４８ａが配置されている。
【００４６】
第６の側板５０ｂと第６の側板５０ｂの第２の重複側板４６の第１のコーナー側板４６ａは折り曲げ線Ｌ１ａで接続し、第１のコーナー側板４６ａと第２のコーナー側板４７ａとは折り曲げ線Ｌ２ａで接続し、第２のコーナー側板４７ａと第３のコーナー側板４８ａとは折り曲げ線Ｌ３ａで接続している。
【００４７】
第４の側板４０の折り曲げた端部に第４の側板４０の第２の内向き側板１２ｃが配置されていて、第４の側板４０と第２の内向き側板１２ｃとは折り曲げ線Ｄｃで接続している。
【００４８】
図５は図３のＸ−Ｘ断面であって、図２〜図４では隠れていた底板１５に接続する第３の側板１０ｂの第１、第２の内側板１４ｂ、１４ｃと、第６の側板５０ｂに接続する第６の側板５０ｂの第１、第２の重複側板４３、４６との関係を示している。
【００４９】
第２のコーナー部Ｃｂに、第２の側板２０と第３の側板１０ｂとのコーナーの折り曲げが形成されており、第２の側板２０に折り曲げ線Ｄｂで接続して箱体１の内部側に曲折した第２の側板２０の第２の内向き側板１２ｂと、第３の側板１０ｂに折り曲げ線１７ｂで接続して箱体１の内部側に曲折し端部が第２の内向き側板１２ｂの端部に近接する第３の側板１０ｂの第１の内側板１４ｂと、第６の側板５０ｂに折り曲げ線Ｌ１ｂで接続し箱体１の内部側に複数に曲折し重複して形成された第６の側板５０ｂの第１の重複側板４３とでコーナーが構成されている。
【００５０】
第６の側板５０ｂの第１の重複側板４３は、第６の側板５０ｂに折り曲げ線Ｌ１ｂで鈍角に接続した第１の重複側板４３の第１のコーナー側板４６ｂと、第１のコーナー側板４６ｂに折り曲げ線Ｌ２ｂで鈍角に接続した第２のコーナー側板４７ｂと、第２のコーナー側板４７ｂに折り曲げ線Ｌ３ｂで鋭角に接続した第３のコーナー側板４８ｂとで屏風状に折れ重なった重複壁面で構成されている。そして第３のコーナー側板４８ｂは第３の側板１０ｂの第１の内側板１４ｂに密接している。
【００５１】
また、第２の側板２０の第２の内向き側板１２ｂの底部と第３の側板１０ｂの第１の内側板１４ｂの底部とは、３角状の第１のコーナー部材１３ｂを介して接続している。
【００５２】
第３のコーナー部Ｃｃも第２のコーナーＣｂと同様で、図５における横軸Ｘ２−Ｘ２に対称に形成されていて、符合の添字ｂをａに替えたものと同じである。
【００５３】
図６〜図８は第２のコーナー部Ｃｂの形状を分かり易く示すための斜視図である。
図６は第２のコーナーＣｂを底板１５を主体にして示したものである。
底板１５から第３の折り曲げ線Ｅ３で直角に立ち上がった第３の側板１０ｂは、折り曲げ線１７ｂで箱体１の内方に鈍角に曲折して第３の側板１０ｂの第１の内側板１４ｂを形成している。
【００５４】
ここで第２のコーナー部材１３ｂは、第２の側壁２０と隣合う第５の側壁１０ｂを交点２０ｂと交点８ｂとを連結して斜めに折り曲げる第２のコーナー部Ｃｂの斜めの線Ａｂと、斜めの線Ａｂの一方の第１の端部でもある第１の交点８ｂと箱体１の内方に水平に延びた第２の端部である交点１５ｂを連結する第１の内向き折り曲げ線Ｆｂと、斜めの線Ａｂの他方の第３の端部である交点２０ｂと前記の交点１５ｂを連結する第２の内向き折り曲げ線Ｂｂと、で３角形に形成されている。
【００５５】
図７は図６のＹ３−Ｙ３断面図であり、底板１５から斜めの線Ａｂで箱体１の内方に折り曲げられて底板１５の上に重なった第１のコーナー部材１３ｂを示している。
また、第１のコーナー部材１３ｂは、第２の内向き折り曲げ線Ｂｂで直角に折り曲げられて第３の側板１０ｂの第１の内側板１４ｂを形成し、第１の内向き折り曲げ線Ｆｂで直角に折り曲げられて第２の側板２０の第２の内側板１２ｂを形成している。
【００５６】
図６に戻って、第２の内側板１２ｂは、交点８ｂから直角に立ち上がる折れ曲げ線Ｄｂで折れ曲って、交点８ｂと対向位置にある図１に示す交点８ａを結ぶ第２の折れ曲げ線Ｅ２から立ち上がる第２の側板２０の端部に連続している。
【００５７】
第２のコーナー部Ｃｂの第１のコーナー部材１３ｂの端部にある直角な縁線５ｂが第２の側板２０の第２の内向き側板１２ｂの端部の直角の縁線６ｂに近接して配置されている。
【００５８】
第２の側板２０は前記のように、底板１５から第２の折り曲げ線Ｅ２で直角に曲折して立ち上がっていて、第２の側板２０の第２の内向き側板１２ｂは折り曲げ線Ｄｂで箱体１の内方に鋭角に曲折してその先端は第３の側板１０ｂの第１の内側板１４ｂに近接して配置されている。
【００５９】
第２の側板２０に折り曲げ線１６で接続したフランジ２１は、天井板３５の端部に設けられた差込板６０が差込まれるスリット２１ｓが設けられて天井板３５を支持するように構成されている。
【００６０】
図８は上記の図６で示した箱体１の下部を覆うために天井板３５から第６の折り曲げ線Ｅ６で接続して垂下する第６の側板５０ｂの形状を主体に示している。
第６の側板５０ｂは、折り曲げ線Ｌ１ｂで箱体１の内方に鈍角に曲折して形成する第６の側板５０ｂの第１の重複側板４３に接続している。
【００６１】
第６の側板５０ｂの第１の重複側板４３は、第６の側板５０ｂから折り曲げ線Ｌ１ｂで鈍角に接続する第６の側板５０ｂの第１の重複側板４３の第１のコーナー側板４６ｂと、第１のコーナー側板４６ｂに折り曲げ線Ｌ２ｂで鈍角に接続する第２のコーナー側板４７ｂと、第２のコーナー側板４７ｂに折り曲げ線Ｌ３ｂで鋭角に接続する第３のコーナー側板４８ｂとで中空３角柱状に構成されている。第３のコーナー側板４８ｂは第２の内側板１４ｂに外方から密接している（図５参照）。
上記構成の第６の側板５０ｂの第１の重複側板４３は、第２のコーナー部Ｃｂの座屈強度を増加する機能を果たすよう構成されている。
【００６２】
そして、天井板３５の端部に設けられた差込板６０をフランジ２１に設けられたスリット２１ｓ（図６参照）に差込み、上下を一体にして第２のコーナー部Ｃｂを複数の重複壁面で座屈強度を向上させるように構成している。
【００６３】
上記の第２のコーナー部Ｃｂに対して第１、第３、第４のコーナー部Ｃａ、Ｃｃ、Ｃｄも同様であり、説明を省略する。
【００６４】
なお、上記の図２〜図８において前記のように、天井板３５と、天井板３５に接続する側板５０ａ、５０ｂ、４４、４７、４３、４６は収容物を上方から覆う上箱様の機能を有している。また、底板１５と、底板１５に接続する側板１０ａ、２０、１０ｂ、４０、１２ａから１２ｄ、１４ａ〜１４ｄは収容物を下から受けて支える下箱様の機能を有している。
【００６５】
前記の平板体１Ｚを箱体１に組み立てる手順の１例を、展開図の図１及び組立構成を示す図２〜図８を参照して以下に説明する。箱体１の展開図１は左右対称なので展開図１の右半分を主体的に説明する。
【００６６】
第２のコーナー部Ｃｂの斜視図６と断面図７も参照して、最初に平板体１Ｚの底板１５を平面上に置き、フランジ２１を折り曲げ線１６に沿って上方に直角に折り曲げる。
また、第３の側板１０ｂを第３の折り曲げ線Ｅ３に沿って紙面に直角な上方に直角に折り曲げる。
【００６７】
ついで、第２のコーナー部材１３ｂを第２の斜めの折り曲げ線Ａｂに沿って１８０度折り曲げて底板１５に密接させる。これによって、第２のコーナー部材１３ｂは底板１５の上に重なり２重の底板となる。
【００６８】
第２のコーナー部材１３ｂを第２の斜めの折り曲げ線Ａｂに沿って折り曲げる際に、第２の側板２０の第２の内向き側板１２ｂは折り曲げ線Ｄｂに沿って箱体１の内方に鋭角に折り曲げられるとともに、折り曲げ線Ｆｂに沿って折り曲げられて底板１５に対して直角な壁面を構成する。
【００６９】
また、第２のコーナー部材１３ｂの第２の斜め折り曲げ線Ａｂに沿った折り曲げに伴って、第２のコーナー部材１３ｂに接続する第３の側板１０ｂの第１の内側板１４ｂは折り曲げ線Ｂｂに沿って底板１５に直角に折り曲げられ、同時に折り曲げ線１７ｂに沿って折り曲げられて底板１５に直角な壁面を構成する。
【００７０】
上記手順の第２のコーナー部Ｃｂに対する「第３の側板１０ｂを第３の折り曲げ線Ｅ３に沿って紙面に直角な上方に直角に折り曲げる」以降を第３のコーナー部Ｃｃに対しても同様に同時に行う。
即ち、第４の側板４０を第４の折り曲げ線Ｅ４に沿って底板１５に対して紙面に直角な上方に、直角に折り曲げる。
【００７１】
ついで、第３のコーナー部Ｃｃの第１のコーナー部材１３ｃを第３の斜め折り曲げ線Ａｃに沿って１８０度折り曲げて底板１５に密接させる。これによって、第３のコーナー部材１３ｃは底板１５の上に重なり２重の底板となる。
【００７２】
その第３のコーナー部材１３ｃを第３の折り曲げ線Ａｃに沿って折り曲げる際に、第４の側板４０の第２の内向き側板１２ｃは折り曲げ線Ｄｃに沿って箱体１の内方に鋭角に折り曲げられるとともに、折り曲げ線Ｆｃに沿って折り曲げられ底板１５に対して直角な壁面を構成する。
【００７３】
また、第３のコーナー部Ｃｃの第３のコーナー部材１３ｃの第３の斜め折り曲げ線Ａｃに沿った折り曲げに伴って、第３のコーナー部材１３ｃに接続する第３の側板１０ｂの第２の内側板１４ｃは折り曲げ線Ｂｃに沿って底板１５に直角に折り曲げられ、同時に折り曲げ線１７ｃに沿って折り曲げられて底板１５に直角な壁面を構成する。
【００７４】
以上を図１のＹ−Ｙ縦軸の図の左半分についても同時に行う。ここまでの過程で上記によって構成された底板１５と、底板１５に接続する各側板とは、収容物を下から受けるいわば下箱を構成し、断面図５の内壁に相当する構成になる。
【００７５】
次に第２のコーナー部Ｃｂの斜視図８も参照して、天井板３５を平面上に置き、差込板６０を第７の折り曲げ線Ｅ７に沿って紙面に直角な上方に直角に折り曲げる。
また、第６の側板５０ｂを第６の折り曲げ線Ｅ６に沿って紙面に直角な上方に直角に折り曲げる。
【００７６】
つぎに、第６の側板５０ｂの第１の重複側板４３の第１、第２のコーナー側板４６ｂ、４７ｂをそれぞれ折り曲げ線Ｌ１ｂ、Ｌ２ｂに沿って第６の側板５０ｂの紙面に直角な上方に鈍角に折り曲げておき、第３のコーナー側板４８ｂを折り曲げ線Ｌ３ｂに沿って鋭角に折り曲げておく。
【００７７】
同様に第６の側板５０ｂの第２の重複側板４６の第１、第２のコーナー側板４６ａ、４７ａをそれぞれ折り曲げ線Ｌ１ａ、Ｌ２ａに沿って第６の側板５０ｂの紙面に直角な上方に鈍角に折り曲げておき、第３のコーナー側板４８ａを折り曲げ線Ｌ３ａに沿って鋭角に折り曲げておく。
つぎに、第６の側板５０ｂを第６の折り曲げ線Ｅ６に沿って紙面に直角な上方に直角に折り曲げる。
【００７８】
以上を図１のＹ−Ｙ縦軸の図の左半分についても同時に行う。ここまでの過程で天井板３５と、天井板３５に接続する各側板とで収容物を覆ういわば上箱を構成し、断面図５の外壁に相当する構成になる。
【００７９】
次に、天井板３５を折り曲げ線Ｅ０に沿って直角に折り曲げ、前記のいわば下箱に重ねる。
このとき、第２のコーナー部Ｃｂでは第６の側板５０ｂの重複側板４３の第１のコーナー側板４６ｂをコーナーで折り曲げる第２の斜め折り曲げ線Ａｂに折り曲げ角度を一致させ、第３のコーナー側板４８ｂを第３の側板１０ｂの第１の内側板１４ｂに密接させ、第２のコーナー側板４７ｂは成り行きに従って折り曲げる。
【００８０】
同様に、第３のコーナー部Ｃｃでは第６の側板５０ｂの第２の重複側板４６の第１のコーナー側板４６ａをコーナーで折り曲げる第３の折り曲げ線Ａｃに折り曲げ角度を一致させ、第３の側板１０ｂの第２の内側板１４ｃに密接させ、第２の側板４７ａは成り行きに従って折り曲げる。
ついで、差込板６０をスリット２１ｓに差込んで箱体１が完成される。
【００８１】
上記構成による本発明の空箱の箱体１とコーナー部を補強しない従来形の箱体とを、ウエイトを乗せて２４時間後の変形状況を確認する積重ね試験によって比較した結果は、従来の箱体は８０ｋｇ荷重で座屈し、本発明の箱体は１６０ｋｇで座屈した。即ち本発明の箱体１はコーナー部に手段を用いない従来品の２倍の耐荷重が得られることがわかった。
【図面の簡単な説明】
【００８２】
【図１】本発明の箱体の実施形態を示す展開図である。
【図２】箱体の上面図である。
【図３】図２のＡ矢視正面図である。
【図４】図２のＢ矢視側面図である。
【図５】図３のＸ−Ｘ断面の上面図である。
【図６】底部と、底板に接続する第１の側板と、第１の側板の第１の内向き側板と、第２の側板と、第２の側板の第１の内向き側板とで形成する第１のコーナー部の斜視図である。
【図７】図６のＹ３−Ｙ３断面図である。
【図８】天井板と、天井板に接続する第５の側板と、第１の重複側板で形成する第１のコーナー部の斜視図である。
【符号の説明】
【００８３】
１・・・・箱体
１Ｚ・・・平板体
Ａａ、Ａｂ、Ａｃ、Ａｄ・・・斜め線の第１、第２、第３、第４の折り曲げ線
１５・・・底板
Ｃａ、Ｃｂ、Ｃｃ、Ｃｄ・・・第１、第２、第３、第４のコーナー部
１３ａ、１３ｂ、１３ｃ、１３ｄ・・・第１、２、３、４のコーナー部材
３５・・・天井板
１０ａ、２０、１０ｂ、４０、５０ａ、５０ｂ・・・第１、２、３、４、５、６の側板
６０・・・差込板
４３、４６・・・第６の側板の第１、２の重複側板
４４、４７・・・第５の側板の第１、２の重複側板
４６ａ、４７ａ、４８ａ・・第６の側板の第１の重複側板の第１、２、３のコーナー側板
４６ｂ、４７ｂ、４８ｂ・・第６の側板の第２の重複側板の第１、２、３のコーナー側板
４６ｃ、４７ｃ、４８ｃ・・第５の側板の第１の重複側板の第１、２、３のコーナー側板
４６ｄ、４７ｄ、４８ｄ・・第５の側板の第２の重複側板の第１、２、３のコーナー側板
１２ａ、１２ｂ・・・第２の側板の第１、第２の内向き側板
１２ｃ、１２ｄ・・・第４の側板の第１、第２の内向き側板
１４ａ、１４ｄ・・・第１の側板の第１、第２の内向き側板
１４ｂ、１４ｃ・・・第３の側板の第１、第２の内向き側板
【図１】
2006335364.tif 000003
【図２】
2006335364.tif 000004
【図３】
2006335364.tif 000005
【図４】
2006335364.tif 000006
【図５】
2006335364.tif 000007
【図６】
2006335364.tif 000008
【図７】
2006335364.tif 000009
【図８】
2006335364.tif 000010